(57)【特許請求の範囲】
【請求項１】
音声をスピーカから出力することを指示するコマンドを受信するコマンド受信手段と、
自身が管理するセルに在圏している第１の移動機と第２の移動機との間で、セッションを管理するサーバを介して音声接続が確立されている状態において、前記第１の移動機から送信されてきた前記第２の移動機を送信先とする第１の音声データと、前記第２の移動機から送信されてきた前記第１の移動機を送信先とする第２の音声データとを受信する音声データ受信手段と、
前記音声データ受信手段により受信された前記第１の音声データおよび前記第２の音声データのうちいずれか一方を音声として前記スピーカから出力させる出力制御手段と
を備える小型基地局。
【請求項２】
前記出力制御手段により前記スピーカから出力されなかった前記第１の音声データまたは前記第２の音声データを送信先の移動機に送信する音声データ送信手段をさらに備える
請求項１に記載の小型基地局。
【請求項３】
前記コマンド受信手段は、特別番号の入力が前記第１の移動機において行われたことを検出したアプリケーションサーバから送信されてきた前記コマンドを受信する
請求項１または２に記載の小型基地局。
【請求項４】
前記コマンド受信手段は、前記第１の音声データおよび前記第２の音声データの送受信に用いられる無線通信とは異なる方式による無線通信によって前記第１の移動機から送信されてきた前記コマンドを受信する
請求項１または２に記載の小型基地局。
【請求項５】
音声をスピーカから出力することを指示するコマンドを受信し、
自身が管理するセルに在圏している第１の移動機と第２の移動機との間で、セッションを管理するサーバを介して音声接続が確立されている状態において、前記第１の移動機から送信されてきた前記第２の移動機を送信先とする第１の音声データと、前記第２の移動機から送信されてきた前記第１の移動機を送信先とする第２の音声データとを受信し、
受信した前記第１の音声データおよび前記第２の音声データのうちいずれか一方を音声として前記スピーカから出力させる
ステップを含む小型基地局の制御方法。
【請求項６】
音声をスピーカから出力することを指示するコマンドを受信するコマンド受信手段と、
自身が管理するセルに在圏している第１の移動機と、当該セルに在圏していない第２の移動機との間で、セッションを管理するサーバを介して音声接続が確立されている状態において、前記第２の移動機から送信されてきた前記第１の移動機を送信先とする音声データを受信する音声データ受信手段と、
前記音声データ受信手段により受信された音声データを音声として前記スピーカから出力させる出力制御手段と
を備える小型基地局。
【請求項７】
前記コマンド受信手段は、音声データの送受信に用いられる無線通信とは異なる方式による無線通信によって前記第１の移動機から送信されてきた前記コマンドを受信する
請求項６に記載の小型基地局。
【請求項８】
音声をスピーカから出力することを指示するコマンドを受信し、
自身が管理するセルに在圏している第１の移動機と、当該セルに在圏していない第２の移動機との間で、セッションを管理するサーバを介して音声接続が確立されている状態において、前記第２の移動機から送信されてきた前記第１の移動機を送信先とする音声データを受信し、
受信した音声データを音声として前記スピーカから出力させる
ステップを含む小型基地局の制御方法。
【発明の詳細な説明】
【技術分野】
【０００１】
本発明は、小型基地局および制御方法に関し、特に、小型基地局側に用意されたスピーカから音声を出力することができるようにした小型基地局および制御方法に関する。
【背景技術】
【０００２】
近年販売されている携帯電話機の多くにはハンズフリー機能が搭載されている。
【０００３】
通話中にハンズフリー機能をオンにした場合、通話相手の音声が携帯電話機の背面にあるスピーカなどより出力される。また、発した音声が、感度が切り替えられたマイクロフォンにより集音され、通話相手の携帯電話機に送信される。ユーザは、携帯電話機を手に取ることなく、他の作業を行いながらでも通話を行うことができる。
【先行技術文献】
【特許文献】
【０００４】
【特許文献１】特開平５−１３６８６４号公報
【発明の概要】
【発明が解決しようとする課題】
【０００５】
ところで、近年、家庭内、オフィス内など、半径数十メートルの狭い範囲を通信範囲としてカバーする「フェムトセル」が注目されている。
【０００６】
「フェムトセル」は、そのような狭い範囲をカバーする程度のレベルの電波を出力する基地局であるフェムトセル基地局を、ADSL(Asymmetric Digital Subscriber Line)モデムなどの、構内に設置されているブロードバンド回線の宅内装置に接続することによって構築される。
【０００７】
不特定多数の公衆向けのものであって半径数百メートルから数キロメートルの広いセルである「マクロセル」とは異なり、「フェムトセル」はフェムトセル基地局が設置された家屋の住人などの限られたユーザに対して通信サービスを提供するものである。
【０００８】
例えば、屋外にいるユーザが、マクロセルに在圏している状態の携帯電話機を使って音声通話を行った場合、その音声データはマクロセルをカバーするマクロセル基地局から無線アクセスネットワークおよびコアネットワークを介して通信相手の携帯電話機に送信される。
【０００９】
一方、屋内にいるユーザが、フェムトセルに在圏している状態の携帯電話機を使って音声通話を行った場合、その音声データはフェムトセル基地局からモデムに出力され、ブロードバンド回線、コアネットワークなどを介して通信相手の携帯電話機に送信される。
【００１０】
仮に、フェムトセルに在圏している状態の携帯電話機から所定の操作を行ってハンズフリー機能をオンにした場合に、自分が聞いている音声や自分が発した音声が、携帯電話機のスピーカではなく、フェムトセル基地局のスピーカから出力されるとすれば、様々な活用方法が考えられ、便利である。
【００１１】
例えば、フェムトセルが構築された店舗において、一人の使用者が複数の従業者に呼びかけることを考える。この場合、使用者が従業者の誰かに電話をかけ、フェムトセル基地局のハンズフリー機能をオンにすれば、使用者の音声がフェムトセル基地局のスピーカから大きな音量で出力されることになり、電話をかけた従業者に対してだけでなく、複数の従業者に対して一度に呼びかけることが可能になる。
【００１２】
本発明はこのような状況に鑑みてなされたものであり、小型基地局側に用意されたスピーカから音声を出力することができるようにするものである。
【課題を解決するための手段】
【００１３】
本発明の第１の小型基地局は、音声をスピーカから出力することを指示するコマンドを受信するコマンド受信手段と、自身が管理するセルに在圏している第１の移動機と第２の移動機との間で、セッションを管理するサーバを介して音声接続が確立されている状態において、前記第１の移動機から送信されてきた前記第２の移動機を送信先とする第１の音声データと、前記第２の移動機から送信されてきた前記第１の移動機を送信先とする第２の音声データとを受信する音声データ受信手段と、前記音声データ受信手段により受信された前記第１の音声データおよび前記第２の音声データのうちいずれか一方を音声として前記スピーカから出力させる出力制御手段とを備える。
【００１４】
前記出力制御手段により前記スピーカから出力されなかった前記第１の音声データまたは前記第２の音声データを送信先の移動機に送信する音声データ送信手段をさらに設けることができる。
【００１５】
前記コマンド受信手段には、特別番号の入力が前記第１の移動機において行われたことを検出したアプリケーションサーバから送信されてきた前記コマンドを受信させることができる。
【００１６】
前記コマンド受信手段には、前記第１の音声データおよび前記第２の音声データの送受信に用いられる無線通信と異なる方式による無線通信によって前記第１の移動機から送信されてきた前記コマンドを受信させることができる。
【００１７】
本発明の第１の小型基地局の制御方法は、音声をスピーカから出力することを指示するコマンドを受信し、自身が管理するセルに在圏している第１の移動機と第２の移動機との間で、セッションを管理するサーバを介して音声接続が確立されている状態において、前記第１の移動機から送信されてきた前記第２の移動機を送信先とする第１の音声データと、前記第２の移動機から送信されてきた前記第１の移動機を送信先とする第２の音声データとを受信し、受信した前記第１の音声データおよび前記第２の音声データのうちいずれか一方を音声として前記スピーカから出力させるステップを含む。
【００１８】
本発明の第２の小型基地局は、音声をスピーカから出力することを指示するコマンドを受信するコマンド受信手段と、自身が管理するセルに在圏している第１の移動機と、当該セルに在圏していない第２の移動機との間で、セッションを管理するサーバを介して音声接続が確立されている状態において、前記第２の移動機から送信されてきた前記第１の移動機を送信先とする音声データを受信する音声データ受信手段と、前記音声データ受信手段により受信された音声データを音声として前記スピーカから出力させる出力制御手段とを備える。
【００２０】
前記コマンド受信手段には、音声データの送受信に用いられる無線通信とは異なる方式による無線通信によって前記第１の移動機から送信されてきた前記コマンドを受信させることができる。
【００２１】
本発明の第２の小型基地局の制御方法は、音声をスピーカから出力することを指示するコマンドを受信し、自身が管理するセルに在圏している第１の移動機と、当該セルに在圏していない第２の移動機との間で、セッションを管理するサーバを介して音声接続が確立されている状態において、前記第２の移動機から送信されてきた前記第１の移動機を送信先とする音声データを受信し、受信した音声データを音声として前記スピーカから出力させるステップを含む。
【００２２】
本発明の第１の小型基地局または小型基地局の制御方法においては、音声をスピーカから出力することを指示するコマンドが受信され、自身が管理するセルに在圏している第１の移動機と第２の移動機との間で、セッションを管理するサーバを介して音声接続が確立されている状態において、前記第１の移動機から送信されてきた前記第２の移動機を送信先とする第１の音声データと、前記第２の移動機から送信されてきた前記第１の移動機を送信先とする第２の音声データとが受信される。また、受信された前記第１の音声データおよび前記第２の音声データのうちいずれか一方が音声として前記スピーカから出力される。
【００２３】
本発明の第２の小型基地局または小型基地局の制御方法においては、音声をスピーカから出力することを指示するコマンドが受信され、自身が管理するセルに在圏している第１の移動機と、当該セルに在圏していない第２の移動機との間で、セッションを管理するサーバを介して音声接続が確立されている状態において、前記第２の移動機から送信されてきた前記第１の移動機を送信先とする音声データが受信される。また、受信された音声データが音声として前記スピーカから出力される。
【発明の効果】
【００２４】
本発明によれば、小型基地局側に用意されたスピーカから音声を出力することができる。
【図面の簡単な説明】
【００２５】
【図１】本発明の一実施形態に係る通信システムの構成例を示す図である。
【図２】フェムトセル基地局を制御する通信システムの処理について説明するシーケンス図である。
【図３】発話音声をスピーカから出力する通信システムの処理について説明するシーケンス図である。
【図４】受話音声をスピーカから出力する通信システムの処理について説明するシーケンス図である。
【図５】図１のフェムトセル基地局の構成例を示すブロック図である。
【図６】フェムトセル基地局を制御する通信システムの他の処理について説明するシーケンス図である。
【図７】本発明の他の実施形態に係る通信システムの構成例を示す図である。
【図８】受話音声をスピーカから出力する図７の通信システムの処理について説明するシーケンス図である。
【図９】図７のフェムトセル基地局の構成例を示すブロック図である。
【発明を実施するための形態】
【００２６】
＜第１の実施の形態＞
［通信システムの構成例］
図１は、本発明の一実施形態に係る通信システムの構成例を示す図である。
【００２７】
図１の例においては、家屋やオフィスビルなどの構内にフェムトセル基地局１が設置されており、フェムトセル基地局１によりフェムトセルＦが形成されている。フェムトセルＦは、公衆網を構成するマクロセルより狭い、半径数メートル、数十メートルなどのフェムトセル基地局１が設置されている構内の範囲をカバーするセルである。
【００２８】
フェムトセル基地局１にはLAN(Local Area Network)ケーブル２を介してモデム３が接続されている。モデム３は、ADSL回線や光ファイバ回線などよりなるブロードバンド回線５の宅内装置である。フェムトセル基地局１にモデム機能が搭載されている場合、フェムトセル基地局１がブロードバンド回線５に直接接続されるようにしてもよい。
【００２９】
フェムトセル基地局１は、LANケーブル２、モデム３、およびブロードバンド回線５を介してインターネットなどよりなるネットワーク６に接続され、フェムトセルＦに在圏している移動機が行う音声データなどの通信を中継する。
【００３０】
図１の例においては、携帯電話機である移動機Ａと移動機ＢがフェムトセルＦに在圏している。移動機Ａと移動機Ｂは、例えばCDMA(Code Division Multiple Access)方式に従って、音声データなどの各種のデータの送受信をそのとき在圏しているセルを管理する基地局との間で行う。
【００３１】
図１に示すように、フェムトセル基地局１にはスピーカ４が接続されている。スピーカ４は、フェムトセル基地局１に内蔵されているスピーカであってもよいし、図１に示すようにケーブルを介して接続される外部のスピーカであってもよい。
【００３２】
フェムトセル基地局１は、後に詳述するように、アプリケーションサーバ８による制御に従って、通話中の音声をスピーカ４から出力させる。フェムトセル基地局１には、音声データをデコードしてスピーカから音声を出力する、移動機と同様の機能が搭載されている。
【００３３】
また、図１の例においては、フェムトセル基地局１側から見てブロードバンド回線５の先には、ネットワーク６を介してCSCF(Call Session Control Function)７とアプリケーションサーバ８が接続されている。図１にはCSCFが１つ示されているが、複数のCSCFとメディアゲートウエイなどによってIMS（IP Multimedia Subsystem)によるコアネットワークが構築される。
【００３４】
CSCF７は、交換機としての機能を有するSIP(Session Initiation Protocol)サーバであり、移動機間の音声通話を制御する。CSCF７は、例えば、フェムトセルＦに在圏している移動機Ｂを発呼先として、同じフェムトセルＦに在圏している移動機Ａから音声通話の発呼要求があった場合、図示せぬHSS(Home Subscriber Server)に登録されている位置情報などを参照した後、接続要求をフェムトセル基地局１に送信する。
【００３５】
また、CSCF７は、ネットワーク６を介して接続されるアプリケーションサーバ８に、フェムトセル基地局１に対する各種の制御を行わせる。
【００３６】
アプリケーションサーバ８は、フェムトセルＦに在圏している移動機において発話音声や受話音声をスピーカ４から出力することを指示する操作が行われた場合、それを検出し、発話音声や受話音声をスピーカ４から出力することを指示するコマンドを出力する。
【００３７】
ここで、発話音声は、音声をスピーカ４から出力することを指示したユーザを基準とすると、その基準のユーザが通話相手のユーザに向けて発した音声である。受話音声は、音声をスピーカ４から出力することを指示した基準のユーザが聞くことになる、通話相手のユーザが発した音声となる。
【００３８】
アプリケーションサーバ８から出力されたコマンドは、ネットワーク６、ブロードバンド回線５を介してモデム３により受信され、LANケーブル２を介してフェムトセル基地局１に転送される。アプリケーションサーバ８から出力されたコマンドを受信したフェムトセル基地局１においては、発話音声や受話音声をスピーカ４から出力させることが行われる。
【００３９】
［通信システムの処理］
ここで、図１の通信システムにおいて行われる処理について説明する。
【００４０】
はじめに、図２のシーケンスを参照して、発話音声または受話音声をスピーカ４から出力するようにフェムトセル基地局１を制御する一連の処理について説明する。
【００４１】
ここでは、移動機ＡのユーザであるユーザＡが移動機ＢのユーザであるユーザＢに電話をかけ、発話音声または受話音声をスピーカ４から出力することをユーザＡが指示する場合について説明する。発話音声はユーザＡが発した音声となり、受話音声はユーザＡが聞くことになる、ユーザＢが発した音声となる。
【００４２】
ステップＳ３１において、移動機Ａは、テンキーに対するユーザＡの操作を検出し、特別番号に対する発呼要求を送信する。すなわち、この例においては、発話音声または受話音声をスピーカ４から出力することを指示するユーザＡは、予め登録されている「＃１」などの特別番号を入力し、発呼操作を行う必要がある。特別番号は、例えば、固定電話用の電話番号（0ABJ番号）、「050」で始まるIP電話用の電話番号、警察（110）や消防（119）といった特殊なサービス用の「1XY」形式の電話番号、および国際電話（010）や携帯電話（090、080）などの他の電話網に接続する際に用いられる「0A0」形式の電話番号以外の、数字や「＃」、「＊」より構成される所定の桁数の番号である。
【００４３】
移動機Ａから送信された発呼要求は、ステップＳ２１においてフェムトセル基地局１により受信され、LANケーブル２を介してモデム３に転送された後、ブロードバンド回線５、ネットワーク６を介して、ステップＳ１１においてCSCF７により受信される。CSCF７により受信された発呼要求は、ネットワーク６を介してアプリケーションサーバ８に送信される。アプリケーションサーバ８に対して送信された発呼要求には、移動機Ａの識別情報や、IPアドレスなどのフェムトセル基地局１の識別情報も含まれている。
【００４４】
ステップＳ１において、アプリケーションサーバ８は、CSCF７から送信されてきた発呼要求を受信し、ステップＳ２において、移動機Ａにおいて特別番号を入力する操作が行われたことを検出する。
【００４５】
ステップＳ３において、アプリケーションサーバ８は、セカンドダイヤルの入力を案内する情報を送信する。アプリケーションサーバ８から送信された情報は、ネットワーク６を介してステップＳ１２においてCSCF７により受信される。CSCF７により受信され、出力された情報はネットワーク６、ブロードバンド回線５を介してモデム３により受信され、LANケーブル２を介してフェムトセル基地局１に転送される。
【００４６】
ステップＳ２２において、フェムトセル基地局１は、モデム３から転送されてきた情報を受信し、受信した情報を移動機Ａに送信する。アプリケーションサーバ８から送信された情報には、セカンドダイヤルの入力を案内するアナウンスの音声データの他に、送信先を移動機Ａとすることを表す情報なども含まれている。
【００４７】
ステップＳ３２において、移動機Ａはフェムトセル基地局１から送信されてきた情報を受信し、音声データを再生することによって、セカンドダイヤルの入力をユーザＡに促す。例えば、「電話をかける相手の電話番号を入力してください」などのアナウンスが移動機Ａのスピーカから出力される。ユーザＡは、このアナウンスを聞くことに応じて、移動機Ｂの電話番号を入力することになる。
【００４８】
移動機Ｂの電話番号が入力された場合、ステップＳ３３において、移動機Ａは移動機Ｂに対する発呼要求を送信する。
【００４９】
移動機Ｂに対する発呼要求は、上述した特別番号に対する発呼要求と同様に、ステップＳ２３においてフェムトセル基地局１により受信され、CSCF７に送信される。
【００５０】
ステップＳ１３において、CSCF７は、移動機Ｂに対する発呼要求を受信し、ステップＳ１４に進み、セカンドダイヤルが入力されたことを表す情報を送信して、アプリケーションサーバ８にその旨を通知する。
【００５１】
ステップＳ４において、アプリケーションサーバ８は、CSCF７から送信された情報を受信し、ステップＳ５において、発話音声または受話音声をスピーカ４から出力することを指示する制御コマンドを送信する。アプリケーションサーバ８から送信された制御コマンドは、ネットワーク６とブロードバンド回線５を介してモデム３により受信され、LANケーブル２を介してフェムトセル基地局１に転送される。
【００５２】
制御コマンドには、発話音声をスピーカ４から出力することを指示する情報と、受話音声をスピーカ４から出力することを指示する情報のうちの少なくともいずれかの情報が含まれる。発話音声をスピーカ４から出力することを指示する情報が制御コマンドに含まれる場合の処理については図３のシーケンスを参照して後述する。また、受話音声をスピーカ４から出力することを指示する情報が制御コマンドに含まれる場合の処理については図４のシーケンスを参照して後述する。
【００５３】
ステップＳ２４において、フェムトセル基地局１は、アプリケーションサーバ８から送信されてきた制御コマンドを受信し、フラグに所定の値を設定するなどして、発話音声または受話音声をスピーカ４から出力するための設定を行う。
【００５４】
ステップＳ１５において、CSCF７は、着呼信号を送信することによって移動機Ｂを呼び出す。CSCF７から送信された信号は、ステップＳ２５においてフェムトセル基地局１により受信され、呼び出し先の移動機である移動機Ｂに送信される。
【００５５】
ステップＳ４１において、移動機Ｂは着呼信号を受信し、着信音をスピーカ（移動機Ｂの内蔵スピーカ）から出力するなどして、着信があったことをユーザＢに通知する。
【００５６】
通話ボタンが押されるなどしてユーザＢにより応答操作が行われた場合、ステップＳ４２において、移動機Ｂは応答信号を送信する。移動機Ｂから送信された応答信号はステップＳ２６においてフェムトセル基地局１により受信され、CSCF７に送信される。
【００５７】
ステップＳ１６において、CSCF７は応答信号を受信し、移動機Ａと移動機Ｂの間のセッションを確立する。これにより、音声データの送受信を移動機Ａと移動機Ｂの間でCSCF７を介して行うことが可能になる。
【００５８】
なお、発話音声をスピーカ４から出力するのか、または、受話音声をスピーカ４から出力するのかが、特別番号の入力後などの所定のタイミングでユーザＡにより指定されるようにしてもよい。
【００５９】
次に、図３のシーケンスを参照して、発話音声をスピーカ４から出力する処理について説明する。
【００６０】
制御コマンドを受信した後、フェムトセル基地局１においては、発話音声、すなわちユーザＡの音声をスピーカ４から出力するための設定が行われている。図３においてはアプリケーションサーバ８の処理の図示を省略している。制御コマンドを送信した後、アプリケーションサーバ８においてはフェムトセル基地局１等に対する処理が行われない。図４以降においてもアプリケーションサーバ８の処理の図示を省略している。
【００６１】
ユーザＡにより発話が行われた場合、ステップＳ７１において、移動機Ａは、マイクロフォンにより集音した音声をエンコードし、音声データを送信する。移動機Ａから送信されたユーザＡの音声データはステップＳ６１においてフェムトセル基地局１により受信され、CSCF７に送信される。
【００６２】
ステップＳ５１において、CSCF７はユーザＡの音声データを受信し、ステップＳ５２に進み、移動機Ｂを送信先として、ユーザＡの音声データをフェムトセル基地局１に送信する。
【００６３】
ステップＳ６２において、フェムトセル基地局１は、CSCF７から送信されてきたユーザＡの音声データを受信し、ステップＳ６３に進み、受信した音声データを移動機Ｂに送信することなく、自らデコードすることによってユーザＡの音声をスピーカ４から出力させる。発話音声をスピーカ４から出力するための設定が行われているため、移動機Ｂを送信先として送信されてきたユーザＡの音声データに基づく音声の出力はフェムトセル基地局１において行われる。
【００６４】
これにより、フェムトセル基地局１の近くにいてユーザＡからの着信に応答したユーザＢは、スピーカ４から出力されたユーザＡの音声を聞くことができる。このようにしてユーザＡの音声データがフェムトセル基地局１から移動機Ｂに送信されない場合、ユーザＢは、移動機Ｂをマイクロフォン代わりに使ってユーザＡと通話を行うことになる。
【００６５】
一方、ユーザＢにより発話が行われた場合、ステップＳ８１において、移動機Ｂは、マイクロフォンにより集音した音声をエンコードし、音声データを送信する。移動機Ｂから送信されたユーザＢの音声データはステップＳ６４においてフェムトセル基地局１により受信され、CSCF７に送信される。
【００６６】
ステップＳ５３において、CSCF７はユーザＢの音声データを受信し、ステップＳ５４に進み、移動機Ａを送信先として、ユーザＢの音声データをフェムトセル基地局１に送信する。
【００６７】
ステップＳ６５において、フェムトセル基地局１は、CSCF７から送信されてきたユーザＢの音声データを受信し、移動機Ａに送信する。このように、デコードしない音声データは、CSCF７により送信先として指定された移動機にフェムトセル基地局１から送信される。
【００６８】
ステップＳ７２において、移動機ＡはユーザＢの音声データを受信し、ステップＳ７３に進み、受信した音声データをデコードすることによって、ユーザＢの音声をスピーカから出力させる。ユーザＡは、移動機を使った通常の通話と同じ形で（移動機Ａのマイクロフォンに音声を入力し、移動機Ａのスピーカからの音声を聞く形で）、ユーザＢと通話を行うことになる。
【００６９】
発話音声をスピーカ４から出力する処理は以上のようにして行われる。なお、図３に示す各ステップの処理の順番は、どの移動機から音声データが送信されたかに応じて適宜変更される。図４以降においても同様である。
【００７０】
以上の処理により、フェムトセル基地局１の近くにいるユーザＢはユーザＡの発話の内容をスピーカ４から出力される音声によって確認することができる。スピーカ４の出力音量が、移動機Ｂに搭載されているスピーカの出力音量より大きい場合、ユーザＢだけでなく、フェムトセル基地局１の周りにいる人もユーザＡの発話の内容を確認することができる。
【００７１】
例えば、図１のフェムトセルＦが店舗内に形成されており、使用者であるユーザＡが、ユーザＢを含む、店舗にいる従業者全員に呼びかける場合を想定する。ユーザＡは、自分が持っている移動機Ａを使って特別番号に電話をかけ、セカンドダイヤルとして移動機Ｂの電話番号を入力することによって、スピーカ４から出力される自分の音声によって、従業者全員に呼びかけることが可能になる。
【００７２】
また、図１のフェムトセルＦが、ある家屋とその外側の庭先を含む範囲に形成されており、ユーザＡが庭に、ユーザＢを含む家族が家屋内にそれぞれいる場合を想定する。家屋が火事になりかけていることに庭にいるユーザＡが気付いた場合、ユーザＡは、自分が持っている移動機Ａを使って特別番号に電話をかけ、セカンドダイヤルとして移動機Ｂの電話番号を入力することによって、スピーカ４から出力される自分の音声によって、家族全員に危険を知らせることが可能になる。スピーカ４からの発話音声の出力機能をこのような緊急情報の通知に利用することも可能である。
【００７３】
次に、図４のシーケンスを参照して、受話音声をスピーカ４から出力する処理について説明する。
【００７４】
制御コマンドを受信した後、フェムトセル基地局１においては、受話音声、すなわちユーザＢの音声をスピーカ４から出力するための設定が行われている。
【００７５】
ユーザＡにより発話が行われた場合、ステップＳ１１１において、移動機Ａは、マイクロフォンにより集音した音声をエンコードし、音声データを送信する。移動機Ａから送信されたユーザＡの音声データはステップＳ１０１においてフェムトセル基地局１により受信され、CSCF７に送信される。
【００７６】
ステップＳ９１において、CSCF７はユーザＡの音声データを受信し、ステップＳ９２に進み、移動機Ｂを送信先として、ユーザＡの音声データをフェムトセル基地局１に送信する。
【００７７】
ステップＳ１０２において、フェムトセル基地局１は、CSCF７から送信されてきたユーザＡの音声データを受信し、移動機Ｂに送信する。受話音声をスピーカ４から出力するための設定が行われている場合、ユーザＡの音声データはフェムトセル基地局１においてはデコードしない音声データであるから、送信先として指定された移動機Ｂに対してフェムトセル基地局１から送信される。
【００７８】
ステップＳ１２１において、移動機ＢはユーザＡの音声データを受信し、ステップＳ１２２に進み、受信した音声データをデコードすることによって、ユーザＡの音声をスピーカ（移動機Ｂの内蔵スピーカ）から出力させる。ユーザＢは、移動機を使った通常の通話と同じ形で、ユーザＡと通話を行うことになる。
【００７９】
一方、ユーザＢにより発話が行われた場合、ステップＳ１２３において、移動機Ｂは、マイクロフォンにより集音した音声をエンコードし、音声データを送信する。移動機Ｂから送信されたユーザＢの音声データはステップＳ１０３においてフェムトセル基地局１により受信され、CSCF７に送信される。
【００８０】
ステップＳ９３において、CSCF７はユーザＢの音声データを受信し、ステップＳ９４に進み、移動機Ａを送信先として、ユーザＢの音声データをフェムトセル基地局１に送信する。
【００８１】
ステップＳ１０４において、フェムトセル基地局１は、CSCF７から送信されてきたユーザＢの音声データを受信し、ステップＳ１０５に進み、受信した音声データを移動機Ａに送信することなく、自らデコードすることによってユーザＢの音声をスピーカ４から出力させる。受話音声をスピーカ４から出力するための設定が行われているため、移動機Ａを送信先として送信されてきたユーザＢの音声データに基づく音声の出力はフェムトセル基地局１において行われる。
【００８２】
これにより、フェムトセル基地局１の近くにいて受話音声をスピーカ４から出力することを指示したユーザＡは、スピーカ４から出力されたユーザＢの音声を聞くことができる。このようにしてユーザＢの音声データがフェムトセル基地局１から移動機Ａに送信されない場合、ユーザＡは、移動機Ａをマイクロフォン代わりに使ってユーザＢと通話を行うことになる。
【００８３】
受話音声をスピーカ４から出力する処理は以上のようにして行われる。
【００８４】
これにより、フェムトセル基地局１の近くにいるユーザＡはユーザＢの発話の内容をスピーカ４から出力される音声によって確認することができる。また、ユーザＡだけでなく、フェムトセル基地局１の周りにいる人もユーザＢの発話の内容を確認することができる。
【００８５】
図１に示すようにして移動機Ａと移動機ＢがフェムトセルＦに在圏している場合、後述するように制御コマンドを移動機から直接送信することによって、発話音声または受話音声をスピーカ４から出力することを制御することができるようにしてもよい。
【００８６】
［フェムトセル基地局１の構成例］
図５は、図１のフェムトセル基地局１の構成例を示すブロック図である。
【００８７】
図５に示すように、フェムトセル基地局１は、ネットワーク通信部２１、制御部２２、無線通信部２３、アンテナ２４、および出力制御部２５から構成される。制御部２２にはコマンド受信部２２Ａが設けられ、ネットワーク通信部２１には音声データ送信部２１Ａと音声データ受信部２１Ｂが設けられる。無線通信部２３には音声データ送信部２３Ａと音声データ受信部２３Ｂが設けられる。
【００８８】
ネットワーク通信部２１はネットワークのインタフェースであり、TCP/IP(Transmission Control Protocol/Internet Protocol)、UDP(User Datagram Protocol)などの所定のプロトコルに従って、LANケーブル２とモデム３を介して通信を行う。
【００８９】
ネットワーク通信部２１の音声データ送信部２１Ａは、無線通信部２３から供給された、フェムトセルＦに在圏している移動機からの音声データをモデム３に出力してCSCF７に送信させる。音声データ受信部２１Ｂは、CSCF７から送信され、モデム３により受信された音声データを受信し、制御部２２と無線通信部２３に出力する。
【００９０】
また、ネットワーク通信部２１は、アプリケーションサーバ８から制御コマンドが送信されてきた場合、それを制御部２２に出力する。
【００９１】
制御部２２はCPU(Central Processing Unit)，ROM(Read Only Memory)，RAM(Random Access Memory)などよりなり、所定のプログラムを実行してフェムトセル基地局１の全体の動作を制御する。
【００９２】
例えば、制御部２２のコマンド受信部２２Ａは、アプリケーションサーバ８から送信されてきた制御コマンドを受信し、フラグに所定の値を設定するなどして、発話音声または受話音声をスピーカ４から出力するための設定を行う。また、コマンド受信部２２Ａは、制御コマンドに従って出力制御部２５を制御し、音声をスピーカ４から出力させる。
【００９３】
コマンド受信部２２Ａは、発話音声をスピーカ４から出力する場合、発話音声をスピーカ４から出力することを指示したユーザＡの通話相手であるユーザＢが使う移動機Ｂを送信先としてCSCF７から送信され、ネットワーク通信部２１において受信された音声データ（ユーザＡの音声データ）を出力制御部２５に出力し、デコードを行わせる。
【００９４】
また、コマンド受信部２２Ａは、受話音声をスピーカ４から出力する場合、受話音声をスピーカ４から出力することを指示したユーザＡが使う移動機Ａを送信先としてCSCF７から送信され、ネットワーク通信部２１において受信された音声データ（ユーザＢの音声データ）を出力制御部２５に出力し、デコードを行わせる。
【００９５】
無線通信部２３は、空中線電力が２０ｍＷ以下などの所定の強度の電波をアンテナ２４から出力し、W-CDMA、CDMA2000などの規格に従って、フェムトセルＦに在圏している移動機と無線通信を行う。
【００９６】
無線通信部２３の音声データ送信部２３Ａは、ネットワーク通信部２１から供給された音声データを送信先として指定された移動機に送信する。音声データ受信部２３Ｂは、アンテナ２４から供給された信号に基づいて受信した移動機からの音声データをネットワーク通信部２１に出力する。
【００９７】
出力制御部２５は、制御部２２による制御に従って音声データをデコードし、デコードして得られた信号に対応する音声をスピーカ４から出力させる。
【００９８】
以上においては、特別番号を入力する操作が行われたことを検出し、セカンドダイヤルの入力を案内することがアプリケーションサーバ８により行われるものとしたが、この機能をフェムトセル基地局１に持たせることも可能である。
【００９９】
ここで、図６のシーケンス図を参照して、アプリケーションサーバ８の機能と同様の機能をも有するフェムトセル基地局１を制御する一連の処理について説明する。
【０１００】
図６の処理は、アプリケーションサーバ８の処理が行われない点を除いて、図２を参照して説明した処理と同様の処理である。重複する説明については適宜省略する。
【０１０１】
ステップＳ１５１において、移動機Ａは、ユーザＡの操作を検出し、特別番号に対する発呼要求を送信する。この特別番号に対する発呼要求が、発話音声または受話音声をスピーカ４から出力することを指示する制御コマンドとしての機能を有することになる。
【０１０２】
ステップＳ１４１において、フェムトセル基地局１は、移動機Ａから送信された発呼要求を受信し、ステップＳ１４２において、特別番号を入力する操作が行われたことを検出する。特別番号を入力する操作が行われたことを検出した後、フェムトセル基地局１は、フラグに所定の値を設定するなどして、発話音声または受話音声をスピーカ４から出力するための設定を行う。
【０１０３】
ステップＳ１４３において、フェムトセル基地局１は、セカンドダイヤルの入力を案内する情報を移動機Ａに送信する。フェムトセル基地局１から送信された情報には、セカンドダイヤルの入力を案内するアナウンスの音声データが含まれている。
【０１０４】
ステップＳ１５２において、移動機Ａはフェムトセル基地局１から送信されてきた情報を受信し、音声データを再生することによって、セカンドダイヤルの入力をユーザＡに促す。ユーザＡは、アナウンスを聞くことに応じて、移動機Ｂの電話番号を入力することになる。
【０１０５】
移動機Ｂの電話番号が入力された場合、ステップＳ１５３において、移動機Ａは移動機Ｂに対する発呼要求を送信する。
【０１０６】
ステップＳ１４４において、フェムトセル基地局１は、移動機Ｂに対する発呼要求を受信し、CSCF７に送信する。
【０１０７】
ステップＳ１３１において、CSCF７は、移動機Ｂに対する発呼要求を受信し、ステップＳ１３２に進み、着呼信号を送信することによって移動機Ｂを呼び出す。CSCF７から送信された信号は、ステップＳ１４５においてフェムトセル基地局１により受信され、呼び出し先の移動機である移動機Ｂに送信される。
【０１０８】
ステップＳ１６１において、移動機Ｂは着呼信号を受信し、着信音をスピーカ（移動機Ｂの内蔵スピーカ）から出力するなどして、着信があったことをユーザＢに通知する。
【０１０９】
ユーザＢにより応答操作が行われた場合、ステップＳ１６２において、移動機Ｂは応答信号を送信する。移動機Ｂから送信された応答信号はステップＳ１４６においてフェムトセル基地局１により受信され、CSCF７に送信される。
【０１１０】
ステップＳ１３３において、CSCF７は応答信号を受信し、移動機Ａと移動機Ｂの間のセッションを確立する。これにより、音声データの送受信を移動機Ａと移動機Ｂの間でCSCF７を介して行うことが可能になる。
【０１１１】
このように、特別番号を入力する操作が行われたことを検出し、セカンドダイヤルの入力を案内する機能をフェムトセル基地局１に持たせることも可能である。図６の処理によって発話音声または受話音声をスピーカ４から出力するための設定が行われた後、図３または図４を参照して説明した処理と同様の処理が行われる。
【０１１２】
＜第２の実施の形態＞
［通信システムの構成例］
図７は、本発明の他の実施形態に係る通信システムの構成例を示す図である。
【０１１３】
図７に示す構成のうち、図１に示す構成と同じ構成には同じ符号を付してある。重複する説明については適宜省略する。図１の例においては、移動機ＡはフェムトセルＦに在圏しているが、移動機ＢはフェムトセルＦ以外の例えばマクロセルに在圏している。また、ネットワーク６にアプリケーションサーバ８が接続されていない。
【０１１４】
図７の通信システムにおいては、音声をスピーカ４から出力することを指示する制御コマンドが、フェムトセルＦに在圏している移動機Ａからフェムトセル基地局１に対して直接送信されるようになされている。
【０１１５】
例えば、移動機Ａと移動機Ｂの間でセッションが確立され、ユーザＡとユーザＢが通話を行っている最中にユーザＡが所定の操作を行った場合、移動機Ａからフェムトセル基地局１に対して、受話音声をスピーカ４から出力することを指示する制御コマンドが送信される。制御コマンドの送信は、音声データの送受信に用いられている電波を使って、または、音声データの送受信に用いられている電波とは異なる、ブルートゥース（商標）などの所定の規格の通信に用いられる電波を使って行われる。
【０１１６】
これにより、移動機Ａのユーザは、ユーザＢと通話を行っている最中でも、受話音声をスピーカ４から出力するように切り替えることができる。
【０１１７】
［通信システムの処理］
ここで、図８のシーケンスを参照して、受話音声をスピーカ４から出力する図７の通信システムの処理について説明する。
【０１１８】
図２を参照して説明したようにして移動機Ａにより行われた発呼に移動機Ｂが応答することによって、または、移動機Ｂにより行われた発呼に移動機Ａが応答することによって、移動機Ａと移動機Ｂの間ではセッションが確立され、音声データの送受信が可能になっているものとする。
【０１１９】
ユーザＡにより発話が行われた場合、ステップＳ２２１において、移動機Ａは、マイクロフォンにより集音した音声をエンコードし、音声データを送信する。移動機Ａから送信されたユーザＡの音声データはステップＳ２１１においてフェムトセル基地局１により受信され、CSCF７に送信される。
【０１２０】
ステップＳ２０１において、CSCF７はユーザＡの音声データを受信し、ステップＳ２０２に進み、移動機Ｂを送信先として、移動機Ｂが在圏しているマクロセルを管理するマクロセル基地局にユーザＡの音声データを送信する。ユーザＡの音声データを受信したマクロセル基地局においては、送信先の移動機である移動機ＢにユーザＡの音声データを送信することが行われる。
【０１２１】
ステップＳ２３１において、移動機ＢはユーザＡの音声データを受信し、ステップＳ２３２に進み、受信した音声データをデコードすることによって、ユーザＡの音声をスピーカ（移動機Ｂの内蔵スピーカ）から出力させる。
【０１２２】
一方、ユーザＢにより発話が行われた場合、ステップＳ２３３において、移動機Ｂは、マイクロフォンにより集音した音声をエンコードし、音声データを送信する。移動機Ｂから送信されたユーザＢの音声データは、マクロセル基地局や無線アクセスネットワークなどを介してCSCF７に送信される。
【０１２３】
ステップＳ２０３において、CSCF７はユーザＢの音声データを受信し、ステップＳ２０４に進み、移動機Ａを送信先として、ユーザＢの音声データをフェムトセル基地局１に送信する。
【０１２４】
ステップＳ２１２において、フェムトセル基地局１は、CSCF７から送信されてきたユーザＢの音声データを受信し、移動機Ａに送信する。
【０１２５】
ステップＳ２２２において、移動機ＡはユーザＢの音声データを受信し、ステップＳ２３３に進み、受信した音声データをデコードすることによって、ユーザＢの音声をスピーカ（移動機Ａの内蔵スピーカ）から出力させる。
【０１２６】
このようにしてユーザＡとユーザＢの間で通話が行われている場合において、受話音声をスピーカ４から出力することを指示する操作が移動機Ａにおいて行われたとき、ステップＳ２２４において、移動機Ａは、受話音声をスピーカ４から出力することを指示する制御コマンドをフェムトセル基地局１に送信する。移動機Ａはマルチタスクに対応した移動機であり、ブルートゥース通信によって制御コマンドを送信するなどの各種の処理を通話と並行して行うことが可能になっている。
【０１２７】
ステップＳ２１３において、フェムトセル基地局１は制御コマンドを受信し、フラグに所定の値を設定するなどして、受話音声をスピーカ４から出力するための設定を行う。
【０１２８】
この状態でユーザＢにより発話が行われた場合、ステップＳ２３４において、移動機Ｂは、マイクロフォンにより集音した音声をエンコードし、音声データを送信する。移動機Ｂから送信されたユーザＢの音声データは、マクロセル基地局や無線アクセスネットワークなどを介してCSCF７に送信される。
【０１２９】
ステップＳ２０５において、CSCF７はユーザＢの音声データを受信し、ステップＳ２０６に進み、移動機Ａを送信先として、ユーザＢの音声データをフェムトセル基地局１に送信する。
【０１３０】
ステップＳ２１４において、フェムトセル基地局１はユーザＢの音声データを受信し、ステップＳ２１５に進み、受信した音声データを移動機Ａに送信することなく、自らデコードすることによって、ユーザＢの音声をスピーカ４から出力させる。受話音声をスピーカ４から出力するための設定が行われているため、移動機Ａを送信先として送信されてきたユーザＢの音声データに基づく音声の出力はフェムトセル基地局１において行われる。
【０１３１】
これにより、フェムトセル基地局１の近くにいて受話音声をスピーカ４から出力することを指示したユーザＡは、スピーカ４から出力されたユーザＢの音声を聞くことができる。
【０１３２】
図７に示すようにして一方の移動機がフェムトセルＦに在圏していない場合においても、上述したようにして特別番号を入力することによって、受話音声をスピーカ４から出力することを制御することができるようにしてもよい。この場合、特別番号の入力操作が移動機Ａにおいて行われた場合、そのことがアプリケーションサーバにより検出され、受話音声をスピーカ４から出力することを指示する制御コマンドがアプリケーションサーバからフェムトセル基地局１に送信される。
【０１３３】
［フェムトセル基地局１の構成例］
図９は、図７のフェムトセル基地局１の構成例を示すブロック図である。
【０１３４】
図９に示す構成のうち、図５に示す構成と同じ構成には同じ符号を付してある。重複する説明については適宜省略する。図９に示すフェムトセル基地局１の構成は、ブルートゥース通信部３１とアンテナ３２が追加して設けられている点で図５に示す構成と異なる。
【０１３５】
ブルートゥース通信部３１は、アンテナ３２から電波を送信し、またはアンテナ３２において移動機Ａからの電波を受信することによって、ブルートゥース規格に従って移動機Ａとの間で無線通信を行う。
【０１３６】
ブルートゥース通信部３１は、移動機Ａから送信されてきた制御コマンドを制御部２２に出力する。制御部２２のコマンド受信部２２Ａにおいては、ブルートゥース通信部３１から供給された制御コマンドが受信され、受信された制御コマンドに従って出力制御部２５を制御し、受話音声をスピーカ４から出力させることが行われる。
【０１３７】
＜変形例＞
以上においては、アプリケーションサーバ８から送信された制御コマンドに従って、または、フェムトセルＦに在圏している移動機から直接送信された制御コマンドに従って、音声出力の切り替えが制御されるものとしたが、フェムトセル基地局１の筐体に設けられるボタンがユーザにより操作されることによって音声出力の切り替えが制御されるようにしてもよい。
【０１３８】
また、以上においては、発話音声と受話音声のうちのいずれかがスピーカ４から出力されるものとしたが、両方の音声がスピーカ４から出力されるようにしてもよい。
【０１３９】
さらに、フェムトセル基地局１においてデコードされない音声データだけが送信先の移動機に送信されるものとしたが、デコードされる音声データも、フェムトセル基地局１から送信先の移動機に送信されるようにしてもよい。例えばスピーカ４から受話音声を出力することを指示したユーザＡは、スピーカ４から出力されるユーザＢの音声と、移動機Ａのスピーカから出力されるユーザＢの音声を聞くことができることになる。
【０１４０】
さらに、フェムトセル基地局１に替えて、「ピコセル」、「マイクロセル」と呼ばれる小型セルを形成する基地局が設けられ、その基地局において音声出力の切り替えが制御されるようにしてもよい。小型基地局は、フェムトセル、ピコセル、マイクロセル等の小型セルを形成する基地局である。
【０１４１】
本発明の実施の形態は、上述した実施の形態に限定されるものではなく、本発明の要旨を逸脱しない範囲において種々の変更が可能である。
【符号の説明】
【０１４２】
１  フェムトセル基地局，  ３  モデム，  ４  スピーカ，  ７  CSCF，  ８  アプリケーションサーバ，  ２１  ネットワーク通信部，  ２２  制御部，  ２３  無線通信部，  ２４  アンテナ，  ２５  音声出力制御部，  ３１  ブルートゥース通信部，  ３２  アンテナ
【図１】
0005583944.tif 000002
【図２】
0005583944.tif 000003
【図３】
0005583944.tif 000004
【図４】
0005583944.tif 000005
【図５】
0005583944.tif 000006
【図６】
0005583944.tif 000007
【図７】
0005583944.tif 000008
【図８】
0005583944.tif 000009
【図９】
0005583944.tif 000010